(57)【特許請求の範囲】
【請求項１】
テーパディスク式無段変速装置のためのプレートリンクチェーンであって、そのチェーン部材を形成しかつ３枚複合板として構成されたプレートリンクユニットが、ピン（３）によってヒンジ状に相互に結合されており、かつテーパディスクとプレートリンクチェーンとの間で摩擦力を伝達するために、チェーン長手方向に対し横方向に作用している押圧部材が設けられており、各ヒンジ結合部の間のチェーン部材のピッチ間隔（７，９）が、異なったプレートリンクの基本モード（１，１０）を使用することによって異なったように形成されている形式のものにおいて、
大きくなったピッチ間隔（９）に所属するプレートリンクの基本モード（１，１０，１３）には、その半径方向の両終端ウエブ（１１）の少くとも１方においてチェーン走行方向（８）で、それぞれ連続するプレートリンクの基本モード間に達している拡幅部（１２，１４）が設けられていることを特徴とする、テーパディスク式無段変速装置のためのプレートリンクチェーン。
【請求項２】
拡幅部（１２）が半径方向の終端ウエブ（１１）の長手方向中心部の領域に配置された、外方で丸面取りされている鼻部（１４）として構成されていることを特徴とする、請求項１記載のプレートリンクチェーン。
【発明の詳細な説明】
【０００１】
【産業上の利用分野】
本発明は、テーパディスク式無段変速装置のためのプレートリンクチェーンであって、そのチェーン部材を形成しかつ３枚複合板として構成されたプレートリンクユニットが、ピンによってヒンジ状に相互に結合されており、かつテーパディスクとプレートリンクチェーンとの間で摩擦力を伝達するために、チェーン長手方向に対し横方向に作用している押圧部材が設けられており、各ヒンジ結合部の間のチェーン部材にピッチ間隔が、異なったプレートリンクの基本モードを使用することによって規則的又は不規則的に異なったように形成されている形式のものに関する。
【０００２】
【従来の技術】
例へばドイツ国特許第２８  ４８  １６７号明細書によって公知であるこの種のリンクプレートチェーンにあっては、個々のプレートリンクがチェーンの長手方向でほぼウエブ状に延びる部分と、その端部に配置された終端ウエブとを有し、該終端ウエブによってヒンジ孔を密閉されている。
【０００３】
ここに論ぜられているプレートリンクチェーンのための構造形式としては、非常に多くの変化態様が存在している。即ちプレートリンクチェーンは、例へばドイツ国特許公告広報第１１  １９  ０６５０号明細書に開示されているように、揺動部材対によって形成された継手個所が摩擦力伝達のための押圧部材を有し、該押圧部材は、プレートリンクユニット及び該ユニットを側方で１緒に保持しているクランプ舌状板を、斜めに貫通しており、かつチェーン長手方向に対し横方向でそのために設けられた切欠きにおいて、その端面がテーパディスクと摩擦接触しうるようになっている。また例へばドイツ国特許公告広報第１２  ９４  １３０号明細書によって公知であるこの種のチェーンにあっては、チェーン部材を形成するプレートリンクユニットが継手ピンによってヒンジ状に相互に結合されており、その場合プレートリンクユニット内の夫々の継手ピンの間に、摩擦力の伝達に役立つＴ字形の押圧部材が挿入されている。
【０００４】
ドイツ国特許公告広報第１３  ０２  ７９５号明細書によって公知である新式のプレートリンクチェーンは、継手を形成する揺動部材の対を同時に押圧部材として利用しており、該押圧部材は出力を伝達するテーパディスクと摩擦接続的な接触を行っている。
【０００５】
その他の構造形式に対しては、ドイツ国実用新案第１９  ７９  ４２９号明細書について触れる必要があろう。この場合も、夫々のチェーン部材を形成して継手ピンによって相互に結合されているプレートリンクユニットが存在している。各継手個所の間ではプレートリンクユニットが押圧リングによって取り囲まれており、該押圧リングは、チェーンの長手方向に対し平行な軸線を中心にプレートリンクユニットの周辺で回動可能であり、かつテーパディスクと摩擦接触を行っている。
【０００６】
この種の総べてのプレートリンクチェーンにあっては、チェーンをなじみ運転する際夫々のテーパディスクのキー内で押圧部材とテーパディスクとの間に衝突が発生し、これが厄介な騒音を惹き起している。
【０００７】
この問題を防止するため、冒頭で述べた形式のプレートリンクチェーンを用いチェーン部材のピンチ間隔を変えることによって、チェーンとテーパディスクとの間の出力伝達能力に悪影響をおよぼすことなしに、かつそれによって基本的にチェーン構造に変更が加えられることなしに、共鳴振動の挙動を妨害することができ、ひいては衝撃乃至遮断することができる。その場合チェーン部材のための異なった長さは、多くの場合打抜きによって製造されるプレートの長さを変更せしめるだけで宜い。
【０００８】
しかしこのようなピッチ間隔の変更は、この程度の大きさの今日の高い要求を充たすチェーンにあっては、この程度の大きさの「正常な」ピッチ間隔からの偏位が３０％までしか許容され得ない。冒頭で述べた形式の本願の対象と同じ様な、３枚複合板のチェーンの構成の場合にこの値を超過すると、チェーンプレートがその隣接チェーンプレートに対する側方案内機能を消失するか、乃至は隣接チェーンプレートが側方に滑動して相互に前方接触を行うようになり、その場合はチェーンが、運転に適した作業形式であっても相互にブロックされて当接するようになり、更にチェーン複合体が別々にロックされるようになる。
【０００９】
【発明が解決しようとする課題】
従って本発明の課題は、３枚複合板で構成されている、冒頭で述べた形式のプレートリンクチェーンにおいて、ピッチ間隔に大きな相違がある場合でもチェーンが不安定になる危険性なしに乃至はチェーン結合体が別々にロックされる危険性なしに、ピッチ間隔を変えることができるようにすることにある。
【００１０】
【課題を解決するための手段】
本発明にあって、大きくなったピッチ間隔に所属し、該ピッチ間隔内に突入しているプレートリンクの基本モードには、その半径方向の両終端ウエブの少くとも１方においてチェーン走行方向の連続するプレートリンク間に、場合によってはプレートリンクの外方に向って隣接する継手ピンにまで達している拡幅部が設けられいることによって、上記課題を解決することができた。
【００１１】
【発明の効果】
本発明の手段により大きなピッチ間隔で形成されているプレートリンクチェーンの場合でも、該チェーンが常に側方で相互に案内されていて、端面側で相互に接触を行い得ないように構成されている。しかしその際、正常なチェーンピンチ間隔に比較して例へば３０％の偏位が許容されうるような、正常なチェーンピッチ間隔の変更も可能である。更に本発明の対象ひいては本発明に関連する問題点は、所謂３板複合板で構成されたプレートリンクチェーンに関係していて、前述の問題が発生していない２枚複合板で構成されたリンクプレートチェーンとは関係ないということをここにもう一度指摘しておく。２つのプレートリンク結合体で構成されたチェーンと３つのプレートリンク結合体で構成されたチェーンとの間の相違点は、例へばドイツ国特許第３０  ２７  ８３４号明細書の図１乃至図３に基いて詳しく述べられている。
【００１２】
本発明に関連して、拡大されたピッチ間隔に所属し、かつ該ピッチ間隔内に突入しているプレートリンク基本モードが、半径方向ウエブの長手方向中心部の領域に配置されている、外方で丸面取りされた鼻部として構成されている場合は有利であることが判明した。
【００１３】
本発明のこれ以外の詳細及び特徴は、次の図面に基く実施例の説明で明らかになるであろう。
【００１４】
【実施例】
図面には、基本的に通常のプレートリンクチェーン１から成る単位体のプレートリンクチェーンが図示されている。プレートリンク１によって形成されたチェーン部材は、揺動部材（ピン）３の対から成る継手部材を介して相互にヒンジ状に結合されており、該揺動部材３は、リンクプレートの切欠き内に挿入されていて、夫々に所属するプレートリンクにより形状接続的な結合を介して回動可能に結合されている。
【００１５】
揺動部材３は連続的に調整された凹面状の揺動面６を有し、該揺動面６を介して揺動部材３は連続的に転動可能であり、これによって隣接するチェーン部材との継手運動が可能になっている。
【００１６】
個々の継手は中心から中心へ間隔７を有しており、該間隔７は一般的にチェーンピッチと呼ばれている。このチェーンピッチ７の大きさは、チェーン走行方向８に与えられた揺動部材３の長さ並びに個々の継手位置の間に形成された間隔に依存している。
【００１７】
図面から明らかなように、この場合（符号ａで表わされている）正常なチェーンピッチ７が使用されている一方で、チェーンの経過に伴ってチェーンピッチが（符号ｂで表わされている）間隔９によるチェーンピッチの拡大部の形状をなした変化部を有しており、このような形式でテーパディスク内を走行する際継手個所の個々の音質特性を妨害できるようになっている。
【００１８】
この継手間隔９が今日では必要である相当な量になることができるようにするため、拡大されたピッチ間隔９（乃至はｂ）に所属するプレートリンクチェーン１０が、少くとも１つの半径方向の終端ウエブ１１において拡幅部１２を有しており、該拡幅部１２はプレートリンクチェーン１０の外方に隣接する継手ピン３にまで達し、ひいてはこのプレート１０も側方でチェーンの長手方向に接続しているプレートリンクに向って案内されており、これによって夫々のプレートリンク１０が、端面側で側方の滑動により次のプレートリンクと衝突しないようになっている。
【００１９】
図２から明らかなように、実際上一方のチェーンピッチ７と他方のチェーンピンチ９との間の移行部を形成している中間プレートリンク１３にあっては、鼻部１４によって対応する手段が採られている。
【００２０】
図示のチェーンにあっては、これによってチェーンの機能性が損われることなしに、簡単な形式でピッチ間隔ａ乃至ｂを広い範囲に亘って変えることができる。一方チェーンの機能性は、鼻部１２，１４を介して簡単な形式で保護されていて、チェーン重量がマイナスに作用することがない一方で、個々のチェーンのプレートリンクの製造も特に複雑ではない。
【図面の簡単な説明】
【図１】本発明のプレートリンクチェーンの側面図である。
【図２】図１のプレートリンクチェーンの平面図である。
【符号の説明】
１    プレートリンクチェーン
３    揺動部材
４    切欠き
６    揺動面
７    間隔
８    チェーン走行方向
９    間隔
１０    プレートリンクチェーン
１１    半径方向ウエブ
１２    拡幅部
１３    中間プレートリンク
１４    鼻部
ａ，ｂ    ピッチ間隔
【図１】
0003836165.tif 000002
【図２】
0003836165.tif 000003